(57)【特許請求の範囲】
【請求項１】
枠体の屋外側に取り付けていて上下方向に延びる筒状のケーシングと、該ケーシングの下端部に形成した開口に設けたキャップとを備えた建具であって、
前記キャップの底面に形成した水抜き穴と、
前記水抜き穴の屋内側に形成された仕切り壁と
を備えたことを特徴とする建具。
【請求項２】
前記ケーシングの下端部の開口の屋内側端部はシール部材を介して前記仕切り壁に当接している請求項１に記載された建具。
【請求項３】
前記水抜き穴には側板と天板が設置されている請求項１または２に記載された建具。
【請求項４】
前記キャップの底面には前記仕切り壁側から水抜き穴に向けて下り傾斜する傾斜面が形成されている請求項１から３のいずれか１項に記載された建具。
【発明の詳細な説明】
【技術分野】
【０００１】
本発明は、例えば躯体の開口部に設けた枠体に化粧部材としてケーシングを取り付けた建具に関する。
【背景技術】
【０００２】
従来、引き違い窓や辷り出し窓やＦＩＸ窓等の各種の開口部装置は、上枠及び下枠と左右の縦枠からなる枠体内に障子を納めている。これらの枠体はアルミ合金等の金属枠体を有しており、その屋内側や屋外側に化粧部材としてケーシングを取り付けて意匠性を高めたものが知られている。
例えば特許文献１に記載された引き違い窓では、枠体を構成する縦固定部材と横固定部材の屋内側にそれぞれ略Ｕ字状の縦化粧部材と横化粧部材を嵌め込んで取り付けている。そして、縦化粧部材と横化粧部材の接合部に断面略Ｌ字状のコーナー部材を取り付けて連結している。
【先行技術文献】
【特許文献】
【０００３】
【特許文献１】特開２００７−２９７８３１号公報
【発明の概要】
【発明が解決しようとする課題】
【０００４】
ところで、特許文献１に記載された縦化粧部材と横化粧部材を屋外側で枠体に設置した場合、縦化粧部材の上部や縦枠との係合部に雨水が浸入すると下端部に流れ落ちた雨水が屋内側や躯体側に浸入するおそれがあった。また、縦化粧部材と縦枠との係合部から雨水が浸入したり縦化粧部材の下端開口や下部の横化粧部材から水が浸入したりすると、屋内側に流入し漏水するおそれがあった。
【０００５】
本発明は、このような課題に鑑みてなされたものであって、ケーシングの下端部に流入する雨水等が屋内側に浸入することを防止できるようにした建具を提供することを目的とする。
【課題を解決するための手段】
【０００６】
本発明による建具は、枠体の屋外側に取り付けていて上下方向に延びる筒状のケーシングと、該ケーシングの下端部に形成した開口に設けたキャップとを備えた建具であって、キャップの底面に形成した水抜き穴と、水抜き穴の屋内側に形成された仕切り壁とを備えたことを特徴とする。
本発明による建具によれば、ケーシング内を上部開口から下端部のキャップに雨水等が流れ落ちたり、ケーシングと枠体との隙間から雨水等が流入したり、ケーシング下端部で水抜き穴からキャップ内に雨水等が浸入したりしたとしても、キャップ内の仕切り壁によって屋内側や躯体側に流入することを阻止され、キャップ内に浸入した雨水等は水抜き穴を通して外部に排出される。
【０００７】
また、ケーシングの下端部の開口の屋内側端部はシール部材を介して仕切り壁に当接していることが好ましい。
キャップ内に浸入した雨水等の水位が仕切り壁を越えたとしても、仕切り壁とケーシング下端部の開口の屋内側端部とはシール部材を介して液密に当接しているため、水が仕切り壁を乗り越えて屋内側に浸入することを阻止できる。
【０００８】
また、水抜き穴には側板と天板が設置されていてもよい。
キャップは水抜き穴が側板と天板で部分的に覆われているため、屋外からの水の浸入を低減することができる。
【０００９】
また、キャップの底面には仕切り壁側から水抜き穴に向けて下り傾斜する傾斜面が形成されていてもよい。
キャップの底面に水抜き穴に向けて傾斜面が形成されているため、キャップ内に浸入した水は傾斜面に沿って流れて水抜き穴から排出される。
【発明の効果】
【００１０】
本発明による建具によれば、ケーシング内を雨水等が下端部のキャップに流れ落ちたり、ケーシングと枠体との隙間から雨水等がキャップに流入したり、ケーシング下端部で雨水等が水抜き穴からキャップ内に浸入したとしても、キャップ内の仕切り壁によって屋内側や躯体側に流入することを阻止できる。しかも、キャップ内に流入した水は水抜き穴を通して外部に排出できる。
【図面の簡単な説明】
【００１１】
【図１】本発明の実施形態による引き違い窓の縦枠とケーシングの配置を示す要部水平断面図である。
【図２】図１に示すケーシングの下端部の開口とこれに嵌合されるキャップを示す分解説明図である。
【図３】図１に示すケーシングの下端部の開口と開口に取り付けたキャップとを示す要部説明図である。
【図４】キャップを示すものであり、（ａ）は内面を示す斜視図、（ｂ）は裏面を示す斜視図である。
【発明を実施するための形態】
【００１２】
以下、本発明の実施形態による引き違い窓の枠体に設けたケーシングとキャップの取り付け構造について図１乃至図４により説明する。
図１に示す実施形態による引き違い窓１は躯体２の開口部２ａに固定した枠体３として上枠と下枠と左右の縦枠４とが四角形枠状に形成されている。枠体３内には外障子６と内障子（図示せず）が開閉可能に納められている。枠体３は金属枠の屋内側に樹脂枠がそれぞれ連結されている。
図１は一方の縦枠４の周辺の水平断面図を示しており、躯体２の開口部２ａと縦枠４との間には、上下方向に延びる例えば略四角形筒状で中空のケーシング７が屋外側に配設され、ケーシング７は縦枠４の金属縦枠５に係合されている。ケーシング７は化粧部材である。縦枠４は金属縦枠５とその屋内側に固定された樹脂縦枠８とで構成され、枠体３の左右両側に対向して設置されている。
【００１３】
金属縦枠５は水平断面視で略Ｔ字状に形成されており、板状の本体部５ａが屋内外方向に延びると共にその途中で分岐した分岐片５ｂが躯体２とケーシング７との間に延びて固定ネジ１０によって躯体２に固定されている。金属縦枠５の本体部５ａの屋内側端部には略コの字状に屈曲したかしめ枠５ｃが形成され、かしめ枠５ｃから分岐して更に屋内側に延びる先端片５ｆは固定ネジ１０によって躯体２の開口部２ａに固定されている。また、本体部５ａの屋外側には樹脂縦枠８を係止するための断面略Ｌ字状の第一係止部９が形成されている。
かしめ枠５ｃは断面略コの字状に形成され、その一辺を構成する第一係合部１２は先端に爪部を形成している。
【００１４】
一方、樹脂縦枠８は複数の中空のホロー部を形成しており、その屋外側端部には金属縦枠５の第一係止部９に係止された例えば略Ｌ字状の第二係止部１１が形成されている。樹脂縦枠８の屋内側端部には屋内片部８ａが形成され、その一端は略Ｌ字状に屈曲されて額縁１４に係止されている。屋内片部８ａの他端側は屈曲されて、金属縦枠５のかしめ枠５ｃ内に挿入されて第一係合部１２と係合する爪部を有する弾性変形可能な第二係合部１３が形成されている。
そして、金属縦枠５の第一係合部１２と樹脂縦枠８の第二係合部１３を係合させた状態でかしめ枠５ｃをかしめることで互いに固定できる。
【００１５】
また、図２及び図３に示すように、ケーシング７は略四角形筒状で上下方向に延びており、その下端部の四角形状をなす開口７ａはキャップ１５で覆われている。ケーシング７の金属縦枠５側の側面には本体部５ａの先端に当接する屋外側突出片７ｂと、本体部５ａに設けた第一係止片５ｄに係合する略Ｌ字状の第二係止片７ｃとを備えている。更にケーシング７の屋内側の側面は金属縦枠５の分岐片５ｂに設けた略Ｔ字状の第三係合片５ｅに嵌合する断面略Ｕ字状の受け片７ｄを備えている。
ケーシング７は略四角形部分とその屋内側の面７ｇの対向する２辺から屋内側に突出する受け片７ｄと突出片７ｆを有している。受け片７ｄと突出片７ｆに挟まれた屋内側の面７ｇには略円弧状で中央に切れ目を有するネジ受け部７ｅが形成されている。また、ケーシング７の屋外側側面と躯体２側の側面にかけて断面略Ｌ字状のカバー２４が取り付けられている。
【００１６】
次に、キャップ１５について図２〜図４により説明する。
キャップ１５は略四角形板状の底面１６の四周に側壁１７ａ、１７ｂ、１７ｃ、１７ｄが突出して形成され、対向する長辺状の側壁１７ａ、１７ｂの中間に略直交する方向に仕切り壁１８が突出形成されている。仕切り壁１８の長手方向中間部分には屋内側に突出する略半円状の凸部１８ａが形成され、凸部１８ａ内にねじ孔１９が形成されている。
ケーシング７の開口７ａの三辺はキャップ１５の側壁１７ｂ、１７ｃ、仕切り壁１８で作る略四角形の三辺の壁枠上に設置されている。開口７ａの残りの一辺は、底面１６に所定間隔で設置された複数の突起部２２上に載置されている。そして、キャップ１５の他の一辺をなす屈曲された側壁１７ａは開口７ａの外側に突出して配設されている。そのため、開口７ａよりキャップ１５の側壁１７ａ、１７ｂ、１７ｃ、仕切り壁１８で仕切る略四角形の方が面積が大きい。
【００１７】
キャップ１５の底面１６には屋内側方向に対向する短辺状の側壁１７ｃ、１７ｄが形成されており、屋外側に設けた側壁１７ｃ側の底面１６には水抜き穴２０が例えば２つ形成されている。これらの水抜き穴２０は断面略Ｌ字状の側板２１ａと天板２１ｂによって覆われている。また、底面１６には水抜き穴２０に近接する位置から水抜き穴２０に向けて下り傾斜する傾斜面１６ａが形成されている。
【００１８】
図２に示すように、キャップ１５に設けた側壁１７ｂと仕切り壁１８の上面にはケーシング７の開口７ａの２辺と液密にシールするようにパッキン２３ａ、２３ｂがシール部材として固着されている。特に開口７ａの屋内側の１辺をなす屋内側の面７ｇの端部（屋内側端部）はパッキン２３ｂを介して仕切り壁１８の上面に当接していて液密にシールしている。
また、屋内側の側壁１７ｄと屈曲された側壁１７ａの側面にもパッキン２３ｃ、２３ｄが固着されている。パッキン２３ｃによって屋内側の側壁１７ｄと金属縦枠５の分岐片５ｂとを液密にシールし、パッキン２３ｄによって屈曲した側壁１７ａと金属縦枠５の本体部５ａとの間をシールしている。屋外側の側壁１７ｃにはパッキンは設置されていない。
なお、図２及び図３に示すキャップ１５において、屋外側の側壁１７ｃと隣の側壁１７ｂとの角部には側壁１７ｃ、１７ｂより高い略Ｌ字状の第一高壁２５が形成されている。開口７ａの外側に位置する仕切り壁１８の端部から側壁１７ａにかけて仕切り壁１８より高い第二高壁２６が形成されている。そのため、第二高壁２６はケーシング７の外側に位置している。
【００１９】
本実施形態による引き違い窓１のケーシング７とキャップ１５は上述した取り付け構造を備えており、次にその組立方法と作用を説明する。
化粧部材としてのケーシング７を縦枠４に取り付けるには、ケーシング７の下端部の開口７ａにキャップ１５を取り付けて開口７ａの隣り合う２辺がキャップ１５の側壁１７ｂと仕切り壁１８の上にパッキン２３ａ、２３ｂを介して設置され、液密にシールされる。また、開口７ａの残りの２辺は屋外側の側壁１７ｃと複数の突起部２２の上に設置される。キャップ１５の屋内側の側壁１７ｄと屈曲した側壁１７ａの側面にもパッキン２３ｃ、２３ｄが貼着されている。そして、キャップ１５の裏面からねじ孔１９を通して固定ねじ１０を挿通してケーシング７のネジ受け部７ｅに螺合して固定する。
キャップ１５を取り付けたケーシング７を屋外側の躯体２と枠体３の金属縦枠５との間に挿入し、金属縦枠５の本体部５ａに設けた第一係止片５ｄに略Ｌ字状の第二係止片７ｃを係合させると共に、分岐片５ｂに設けた略Ｔ字状の第三係合片５ｅに断面略Ｕ字状の受け片７ｄを嵌合させて固定する。また、屋外側突出片７ｂを本体部５ａの先端に当接させて本体部５ａを覆う。これによってケーシング７とキャップ１５の組み立てが完了する。
【００２０】
このように枠体３と躯体２の間で金属縦枠５に取り付けたケーシング７に対して、雨水等が吹き付けると上部開口から内部に雨水等が浸入することがある。この雨水等はケーシング７の内面に沿ってキャップ１５の底面１６上に流れ落ちる。また、ケーシング７の屋外側突出片７ｂと金属縦枠５の本体部５ａとの隙間から雨水等がケーシング７とキャップ１５の屈曲した側壁１７ａとの間に流入することがある。
そして、キャップ１５の底面１６にこれらの雨水等が溜まったとしても、その屋内側に仕切り壁１８が設置されているために屋内側に流入することは阻止され、傾斜面１６ａを流れ落ちて水抜き穴２０を介して屋外に排出される。
【００２１】
また、ケーシング７の下端部に位置する引き違い窓１の掃出しや腰窓等に雨水等が吹き付けたりすると、この雨水が掃出しや腰窓等から水抜き穴２０を通してキャップ１５内に逆流するおそれがある。この場合でも、水抜き穴２０が側板２１ａと天板２１ｂで覆われているために雨水等が入りにくい。仮に水抜き穴２０から側板２１ａの両側を通して雨水等がキャップ１５内に流入したとしても、水抜き穴２０は傾斜面１６ａの下端部に形成されているため、水は容易に排出される。
また、キャップ１５の底面１６に流入する雨水等の水位が仕切り壁１８の高さを超えて溜まったとしても、仕切り壁１８及び側壁１７ｂの上面には止水材としてのパッキン２３ａ、２３ｂを挟んでケーシング７の下端部の開口７ａが設置されているため、雨水等がこれらの仕切り壁１８や側壁１７ｂを超えて屋内側や躯体側に浸入することを阻止できる。
ケーシング７と金属縦枠５の本体部５ａとの隙間からキャップ１５内に雨水等が浸入した場合でも、ケーシング７の外側で仕切り壁１８に第二高壁２６を設けたため屋内側への浸入を阻止できる。
【００２２】
上述のように本実施形態による引き違い窓１のケーシング７とキャップ１５の取り付け構造によれば、キャップ１５の底面１６に仕切り壁１８を設けたのでケーシング７の上部開口やケーシング７と金属縦枠５との隙間や水抜き穴２０等から雨水等が浸入したとしても、仕切り壁１８によって屋内側や躯体２側に浸入することを阻止できる。しかも、仕切り壁１８及び躯体２側の側壁１７ｂとケーシング７の開口７ａとの間に止水材としてパッキン２３ｂ、２３ａを設けたので、キャップ１５内に溜まった雨水等の水位が仕切り壁１８等を超えたとしても屋内側や躯体２側に浸水することを阻止できる。
また、キャップ１５の底面１６の屋外側に傾斜面１６ａを設けたため、キャップ１５内に浸入した雨水等は水抜き穴２０を通して効率的に排水できる。しかも、水抜き穴２０には側板２１ａと天板２１ｂを設けたため、屋外の雨水等が水抜き穴２０を通してキャップ１５内に流入しにくいという利点もある。
【００２３】
なお、本発明による引き違い窓１のケーシング７とキャップ１５の取り付け構造は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００２４】
上述した実施形態では、キャップ１５の側壁１７ａ、１７ｂ間の幅をケーシング７の開口７ａの幅より大きく設定したが、キャップ１５の側壁１７ａ、１７ｂ、仕切り壁１８、側壁１７ｃの形状をケーシング７の開口７ａと略同一形状で同一寸法に設定し、その上面にパッキン２３ａ、２３ｂ、２３ｄを固着してもよい。この場合、ケーシング７の下端部の開口７ａはパッキン２３ｄ、２３ａ、２３ｂを介してキャップ１５の側壁１７ａ、１７ｂ、仕切り壁１８の上面に当接するため雨水等をシールすることができる。
また、パッキン２３ａ、２３ｂ、２３ｃ、２３ｄはシール部材に含まれる。
【００２５】
なお、キャップ１５の底面１６に仕切り壁１８を突出して設けているため、パッキン２３ｂ等を設置しなくてもよい。また、上述の実施形態ではキャップ１５の屋外側の側壁１７ｃにはパッキンを設置しない構成にしたが、屋外側の側壁１７ｃにもパッキンを設置してケーシング７の開口７ａの屋外側端部を液密に設置してもよい。
また、キャップ１５の底面１６が水平面であれば傾斜面１６ａを設けない構成を採用してもよいし、あるいは仕切り壁１８から水抜き穴２０までの底面１６全体を傾斜面１６ａに形成してもよい。
【００２６】
また、キャップ１５の水抜き穴２０の側部と上部に側板２１ａと天板２１ｂを設置したが必ずしも側板２１ａと天板２１ｂを設置しなくてもよい。
なお、本発明は引き違い窓１に限定されることなく、縦辷り出し窓や横辷り出し窓等各種の建具に用いることができる。また、本発明はビル等に設置する窓等の建具に限定されることなく一般住宅等の建具にも適用できる。
【符号の説明】
【００２７】
１  引き違い窓
２  躯体
２ａ  開口部
３  枠体
４  縦枠
５  金属縦枠
７  ケーシング
７ａ  開口
８  樹脂縦枠
１６  底面
１６ａ  傾斜面
１７ａ、１７ｂ、１７ｃ、１７ｄ  側壁
１８  仕切り壁
１９  ねじ孔
２０  水抜き穴
２１ａ  側板
２１ｂ  天板
２３ａ、２３ｂ、２３ｃ、２３ｄ  パッキン
【図１】
0006652391.tif 000002
【図２】
0006652391.tif 000003
【図３】
0006652391.tif 000004
【図４】
0006652391.tif 000005